(57)【要約】      （修正有）【課題】ネットの袋にたわしを入れただけのキッチン道具を提供する。【解決手段】一定のネット１の一端に設けたカット線にほつれ止め３を設け、ほつれ止め３を交互に重ね、一定のネット１の円の縁まわりをちぢめ、固定バンド５、吊りひも６を設けて袋の成形とし、一定のネット１の開口７を利用して、一本のブラシからドーナツ形の輪に穴１３が成形された手の平サイズのたわし１４の着脱をスムーズにしたことを特徴とする、ネットの袋にたわしを入れただけのキッチン道具。【選択図】図１
2019147614.tif 000002
【特許請求の範囲】
【請求項１】
一定のネットの一端にカット線を設け、一定のネットの一端に設けたカット線に、ほつれ止めを設ける。カット線に設けたほつれ止めを交互に重ねる。
そのほつれ止めを交互に重ねて設けたカット線の円の縁まわりに沿ってカット線とほつれ止めと共に、ちぢめたら固定バンドに吊りひもを設ける。
一つの円の丸い形状の袋に開口を設ける。さらに別部材を設ける。二本の部材をネジり適宜に束ねたブラシを二本のネジった部材に挾みながら一本のブラシを成形する。したがってまた、一方の２本の部材の未端にもう一方の２本の部材の未端に固定する。
そして、一本のブラシが手の平サイズのドーナツ形の輪に穴が成形される。また、一定のネットの一端に設けたカット線に、ほつれ止めを設けたカット線を交互に重ねて開口の袋ろの成形とした一定のネットの開口を利用して、手の平サイズのたわしの着脱をスムーズにしたことを特徴とするネットの袋にたわしを入れただけのキッチン道具。
【発明の詳細な説明】
【技術分野】
【０００１】  本発明は、ネットの袋にたわしを入れただけのキッチン道具に関するものである。
【背景技術】
【０００２】  従来、多種多用につかえるキッチンのたわしがあった。
【発明の開示】
【発明が解決しようとする課題】
【０００３】そのために、次のような問題点があった。
（イ）  多々あるたわしをえらびそこねて、無傷で洗うのに大変むづかしかった。
（ロ）  どんなに注意したつもりでも日々のなれもあり、ザラザラの面に当りがちであった。
本発明は、これらの問題点を解決するためになされたものである。
【課題を解決するための手段】
【０００４】一定のネットの一端に、カット線を設け、一定のネットの一端に設けたカット線に、ほつれ止めを設ける。カット線に設けたほつれ止を交互に重ねる。その、ほつれ止を交互に重ねて設けたカット線の円の縁まわりに沿て、カット線とほつれ止と共に、ちぢめたら固定バンドに吊ひもを近設する。そして、一つの円の丸い形状の袋に開口を設ける。さらに、別部材を設ける。二本の部材をネジり適宜に束ねブラシを二本のネジった部材に挾みながら一本のブラシを成形する。なお一方の２本の部材の未端ともう一方の２本の部材の未端に固定する。そして、一本のブラシが手の平サイズのドーナツ形の輪に穴が成形される。
一定のネットの一端に設けたカット線に、ほつれ止めを設けたそのカット線を交互に重ねて開口の袋の成形とした一定のネットである。
以上を特徴とするネットの袋ろにブラシを入れただけのキッチンたわしである。
【発明の効果】
【０００５】手共でつかうために手の平サイズに握りやすくして、手の平にしっくり当る感触の二枚重ねの一定のネットの泡立をよくしている。また袋の形状の一定のカット線を利用して出し入が自在にできる、ドーナツ形の輪に穴のあるたわしである。又、手の平サイズのドーナツ形の輪に穴のある形状がすごく使いやすく、時短で水仕事ができるので、手共の多種ある道具にわづらわされずにすむのである。
二枚重ねの一定のネットの丸い円の袋の形状の一端に設けているカット線にほつれ止めを設け、その内側に設けたドーナツ形の輪に穴のある形状のたわしを使って、凹部の溝などを、洗ったり、たわしの洗端がでたりしても手の平にチクチク感はないのである。二枚重ねの一定のネットの袋の内側に設けた手の平サイズのたわしのそうご交果によりスムーズな使いやすさがあり、とにかく場所をとらづ使い勝手のよい形状である。
【発明を実施するための最良の形熊】
【０００６】以下、本発明の実施の形熊について説明する。
（イ）  一定のネット（１）の一端に、カット線（２）を設け、一定のネット（１）の一端に設けたカット線（２）にほつれ止め（３）を設ける。
カット線（２）に設けたほつれ止め（３）を交互に重ねる。
（ロ）  ほつれ止（３）を交互に重ねて設けたカット線（２）の円（４）の縁まわりにそってちぢめたら固定バンド（５）を設けて、同じく吊りひ  を近くに設ける。したがって、一定のネット（１）の一端に設けた、カット線（２）にほつれ止め（３）を設け、その、（１）（２）（３）を交互に、重ねたら縁どりの円（４）をちぢめて（５）（６）で固定する。そして、（１）（２）（３）で開口（７）とした丸い形状の袋ろである。
（ハ）  さらに、別部材（８）を設ける。部材（９）の２本を設け、その部材（９）の２本をネジり適宜に束ねたブラシ（１０）を挾みながら、部材（９）をネジりながら一本のブラシ（１０）を成形する。成形した一本のブラシ（１０）の一方の部材２本（９）の未端ともう一方の部材２本（９）の未端に固定（１１）する。
（ニ）  したがって、ドーナツ形の輪（１２）に穴（１３）を設けたたわし（１４）である。
本発明は以上のような構成でこれを使用するときは、ほつれ止めめ（３）を付けた後にカット線（２）を、やや深めに交互に重ねたら、一定のネット（１）の円（４）の縁まわりをちぢめたら固定バンド（５）に吊りひも（６）を設けることで、どこにでも吊すことができて、かさばらないのである。また、一定のネットが二重の形状で泡立ちがよく、水切れもよく衛生適である。
長さのある器などにも、かさばるらなくまた、二重の一定のネット（１）の特徴の泡立がよく水仕事が楽になる。また、円（４）の縁まわりをちぢめた袋の形状なので握りやすく手ざわりよく使いこなすことができる。
別部材（８）を設ける。２本の部材（９）をねじり適宜に束ねたブラシ（１０）を２本の部材（９）に交互に挾みながら一本のブラシ（１０）を成形する。
その、一本のブラシ（１０）を成形したらドーナツ形の輪（１２）に成形する。
したがって、一本のブラシ（１０）をドーナツ形の輪（１２）に成形し、穴（１３）を設けたら、輪（１２）の一方の２本の部材（９）の未端ともう一方の２本の部材（９）の未端に固定（１１）とする。したがって、手の平サイズのドーナツ形の輪（１２）の穴（１３）を、成形した、たわし（１４）を利用して、一定のネット（１）の一端の（２）（３）（４）（５）（６）で袋に成形した開口（７）で、ドーナツ形の輪（１２）に穴（１３）を成形した手の平サイズのたわし（１４）の着脱に、開口（７）とした丸い円（４）の縁まわりをちぢめた袋全体に設けたカット線（２）とほつれ止め（３）の開口（７）をえらばづ着脱できる。ネットの袋ろにたわしを入れた、だけのキッチンの道具。
【図面の簡単な説明】
【０００７】
【図１】  本発明の一部実施例を示す斜視である。
【図２】  本発明の其其の実施例を示す正面図
【図３】  本発明の其其の実施例を示す正面図
【図４】  本発明の其其の実施例を示す正面図
【符号の説明】
【０００８】１  ネット
２  カット線
３  ほつれ止め
４  円の縁まわり
５  固定バンド
６  吊ひも
７  開口
８  別部材
９  部材
１０  ブラシ
１１  固定部
１２  輪
１３  穴
１４  たわし
【図１】
2019147614.tif 000003
【図２】
2019147614.tif 000004
【図３】
2019147614.tif 000005
【図４】
2019147614.tif 000006